(57)【要約】【課題】個人を特定可能な情報が他人に提示されることを防止しながら、複数のユーザに渡った履歴の利用を可能とする。【解決手段】ナビゲーション装置による場所の特定の履歴を記憶部に記憶させ、記憶された履歴を提示し、所定条件が成立した後は、この所定条件が成立した時点までに記憶部に記憶された履歴のうち、個人の住所地を特定不可能な履歴のみを提示する。【選択図】図１
2018163122.tif 000002
【特許請求の範囲】
【請求項１】
ナビゲーション装置による場所の特定の履歴を記憶部に記憶させる制御部と、
記憶された前記履歴を提示する提示部と、
を備え、
前記提示部は、所定条件が成立した後は、該所定条件が成立した時点までに前記記憶部に記憶された前記履歴のうち、個人の住所地を特定不可能な履歴のみを提示することを特徴とするナビゲーション装置。
【請求項２】
前記提示部は、前記所定条件が成立した後は、該所定条件が成立した時点までに前記記憶部に記憶された前記履歴のうち、前記ナビゲーション装置により名称を提示可能であることが予め定められた場所に関する履歴のみを提示することを特徴とする請求項１に記載のナビゲーション装置。
【請求項３】
前記所定条件は、前記ナビゲーション装置が搭載される移動体の利用状況が所定状況になることであることを特徴とする請求項１又は２に記載のナビゲーション装置。
【請求項４】
前記所定状況は、前記移動体を利用可能な複数のユーザのうち何れかのユーザによる前記移動体の利用が終了した可能性がある状況であることを特徴とする請求項３に記載のナビゲーション装置。
【請求項５】
前記所定状況は、移動先に設定された場所に前記移動体が到着したことであることを特徴とする請求項３又は４に記載のナビゲーション装置。
【請求項６】
前記所定状況は、前記移動体のエンジンが手動で停止されたことであることを特徴とする請求項３又は４に記載のナビゲーション装置。
【請求項７】
前記所定状況は、前記移動体を返却する場所に該移動体が到着したことであることを特徴とする請求項３乃至６の何れか１項に記載のナビゲーション装置。
【請求項８】
前記所定状況は、前記移動体を利用するユーザが変わったことであることを特徴とする請求項３に記載のナビゲーション装置。
【請求項９】
前記提示部は、前記記憶された履歴に基づいて、前記ナビゲーション装置により特定された回数に応じて付けられた順位に従って、複数の場所を示すランキング情報を提示することを特徴とする請求項１乃至８の何れか１項に記載のナビゲーション装置。
【請求項１０】
前記提示部は、複数の種類のうち設定された種類の複数の場所を示す前記ランキング情報を提示することを特徴とする請求項９に記載のナビゲーション装置。
【請求項１１】
前記制御部は、前記ナビゲーション装置により場所が特定されたときに前記ナビゲーション装置が搭載された移動体を利用していたユーザによる該移動体の利用時間に関連付けて、前記履歴を前記記憶部に記憶させ、
前記提示部は、設定された利用時間で前記移動体が利用されたときに特定された複数の場所を示す前記ランキング情報を提示することを特徴とする請求項９又は１０に記載のナビゲーション装置。
【請求項１２】
前記ナビゲーション装置は、複数の移動体のうちの一の移動体に搭載され、
前記一の移動体の利用開始地から所定範囲内に存在する場所が利用開始地である他の移動体に搭載されたナビゲーション装置に記憶された前記履歴を取得する取得部を更に備え、
前記制御部は、前記取得された履歴を更に前記記憶部に記憶させることを特徴とする請求項１乃至１１の何れか１項に記載のナビゲーション装置。
【請求項１３】
前記ナビゲーション装置は、複数の移動体のうちの一の移動体に搭載され、
前記一の移動体と型式が同一、又は前記一の移動体との間の所定箇所のサイズの差が所定値未満である他の移動体のナビゲーション装置に記憶された前記履歴を取得する取得部を更に備え、
前記制御部は、前記取得された履歴を更に前記記憶部に記憶させることを特徴とする請求項１乃至１２の何れか１項に記載のナビゲーション装置。
【請求項１４】
ナビゲーション装置と通信可能なサーバ装置において、
前記ナビゲーション装置による場所の特定の履歴を前記ナビゲーション装置から受信する受信部と、
前記受信された履歴を記憶する記憶部と、
前記記憶された履歴を前記ナビゲーション装置へ送信する送信部と、
を備え、
前記送信部は、所定条件が成立した後は、該所定条件が成立した時点までに前記ナビゲーション装置により特定された場所に関する前記履歴のうち、個人の住所地を特定不可能な履歴のみを送信することを特徴とするサーバ装置。
【請求項１５】
コンピュータにより実行される提示方法において、
ナビゲーション装置による場所の特定の履歴を記憶部に記憶させる制御工程と、
記憶された前記履歴を提示する提示工程と、
を含み、
前記提示工程は、所定条件が成立した後は、該所定条件が成立した時点までに前記記憶部に記憶された前記履歴のうち、個人の住所地を特定不可能な履歴のみを提示することを特徴とする提示方法。
【請求項１６】
コンピュータを、請求項１乃至１３の何れか１項に記載のナビゲーション装置として機能させることを特徴とする提示用プログラム。
【請求項１７】
請求項１６に記載の提示用プログラムをコンピュータ読み取り可能に記録したことを特徴とする記録媒体。
【発明の詳細な説明】
【技術分野】
【０００１】
本願は、ナビゲーション装置により特定された場所に関する履歴を記憶するナビゲーション装置及びサーバ装置の技術分野に属する。
【背景技術】
【０００２】
従来、ユーザの操作や経路案内動作等に応じて、目的地、経由地、検索された場所等の履歴を記憶するナビゲーション装置が知られている。ナビゲーション装置が、記憶された履歴を提示することで、ユーザは過去に特定された場所を目的地等に容易に指定することができる。
【０００３】
しかしながら、このような履歴は、特定の個人の情報を含む場合がある。近年においては個人情報の保護が重視される中、例えばカーシェアリング等の態様で１台の車両を複数のユーザが利用するような状況では、ユーザが車両を利用することでナビゲーション装置により記憶された履歴が他人に提示されることを防止することが望まれる。
【０００４】
この点に鑑み、特許文献１には、前回車両を利用したユーザのＩＤ情報と今回車両を利用したユーザのＩＤ情報とが一致しない場合、記憶されている履歴（例えば、経路探索のために入力した出発地や目的地、探索された移動経路、実際の走行経路等）を消去する技術が開示されている。
【先行技術文献】
【特許文献】
【０００５】
【特許文献１】特開２０１３−４４７０８号公報
【発明の概要】
【発明が解決しようとする課題】
【０００６】
しかしながら、特許文献１に開示された技術では、同一のユーザが連続して車両を利用しない限りは全ての履歴が消去されてしまうため、複数のユーザに渡って履歴を利用することができなかった。
【０００７】
本願は、以上の点に鑑みてなされたものであり、その課題の一例は、個人を特定可能な情報が他人に提示されることを防止しながら、複数のユーザに渡った履歴の利用を可能とするナビゲーション装置、サーバ装置、提示方法、提示用プログラム、及び記録媒体を提供することにある。
【課題を解決するための手段】
【０００８】
上記課題を解決するために、請求項１に記載の発明は、ナビゲーション装置による場所の特定の履歴を記憶部に記憶させる制御部と、前記記憶された履歴を提示する提示部と、を備え、前記提示部は、所定条件が成立した後は、該所定条件が成立した時点までに前記記憶部に記憶された前記履歴のうち、個人の住所地を特定不可能な履歴のみを提示することを特徴とする。
【０００９】
請求項１３に記載の発明は、ナビゲーション装置と通信可能なサーバ装置において、前記ナビゲーション装置による場所の特定の履歴を前記ナビゲーション装置から受信する受信部と、前記受信された履歴を記憶する記憶部と、前記記憶された履歴を前記ナビゲーション装置へ送信する送信部と、を備え、前記送信部は、所定条件が成立した後は、該所定条件が成立した時点までに前記ナビゲーション装置により特定された場所に関する前記履歴のうち、個人の住所地を特定不可能な履歴のみを送信することを特徴とする。
【００１０】
請求項１４に記載の発明は、コンピュータにより実行される提示方法において、ナビゲーション装置による場所の特定の履歴を記憶部に記憶させる制御工程と、前記記憶された履歴を提示する提示工程と、を含み、前記提示工程は、所定条件が成立した後は、該所定条件が成立した時点までに前記記憶部に記憶された前記履歴のうち、個人の住所地を特定不可能な履歴のみを提示することを特徴とする。
【００１１】
請求項１５に記載の発明は、コンピュータを、前記ナビゲーション装置として機能させることを特徴とする。
【００１２】
請求項１６に記載の発明は、前記提示用プログラムをコンピュータ読み取り可能に記録したことを特徴とする。
【図面の簡単な説明】
【００１３】
【図１】実施形態に係るナビゲーション装置の概要構成の一例を示すブロック図である。
【図２】実施例に係るカーシェアリングシステムの概要構成の一例を示すブロック図である。
【図３】（ａ）は、実施例に係るサーバ装置の概要構成の一例を示すブロック図である。（ｂ）は、実施例に係るナビゲーション装置の概要構成の一例を示すブロック図である。
【図４】（ａ）は、実施例に係る目的地到着履歴記憶処理の一例を示すフローチャートである（ｂ）は、実施例に係るランキング表示処理の一例を示すフローチャートである。
【発明を実施するための形態】
【００１４】
次に、本願を実施するための形態について、図１を用いて説明する。図１は、実施形態に係るナビゲーション装置の概要構成の一例を示すブロック図である。
【００１５】
図１に示すように、実施形態に係るナビゲーション装置１は、制御部１ａと、提示部１ｂとを備える。ナビゲーション装置１は、移動体に備えられてもよい。移動体は、複数のユーザのそれぞれにより利用可能である。移動体の例として、自動車等の車両、航空機、船舶等が挙げられる。
【００１６】
制御部１ａは、ナビゲーション装置による場所の特定の履歴を記憶部２に記憶させる。図１においては、記憶部２はナビゲーション装置１に備えられていないが、ナビゲーション装置１に記憶部２が備えられてもよい。
【００１７】
提示部１ｂは、記憶部２に記憶された履歴を提示する。ここで、提示部１ｂは、所定条件が成立した後は、所定条件が成立する時点までに記憶部２に記憶された履歴のうち、個人の住所地を特定不可能な履歴のみを提示する。
【００１８】
以上説明したように、実施形態に係るナビゲーション装置１の動作によれば、所定の条件が成立した後は、所定条件が成立する時点までの履歴のうち個人の住所地を特定不可能な履歴のみが提示される。従って、個人を特定可能な情報が他人に提示されることを防止しながら、複数のユーザに渡った履歴の利用が可能となる。
【実施例１】
【００１９】
次に、上述した実施形態に対応する具体的な実施例について、図２乃至図４を用いて説明する。以下に説明する実施例は、複数のユーザで車両５を共用するカーシェアリングで用いられる車両に備えられるナビゲーション装置に実施形態を適用した場合の実施例である。図２は、実施例に係るカーシェアリングシステムの概要構成の一例を示すブロック図である。図３（ａ）は、実施例に係るサーバ装置の概要構成の一例を示すブロック図である。図３（ｂ）は、実施例に係るナビゲーション装置の概要構成の一例を示すブロック図である。図４（ａ）は、実施例に係る目的地到着履歴記憶処理の一例を示すフローチャートである。図４（ｂ）は、実施例に係るランキング表示処理の一例を示すフローチャートである。
【００２０】
図２に示すように、実施例に係るカーシェアリングシステムＳは、複数の車両５のそれぞれに備えられた複数のナビゲーション装置１０と、サーバ装置３０とを備える。なお、本実施例においては、サーバ装置３０は必須の構成要素ではない。
【００２１】
各車両５は、本拠となる駐車場６に保管されている。各ユーザは、駐車場６で車両５を借りて利用し、駐車場６に車両５を返却する。図２には、１つの駐車場６が示されているが、複数の駐車場６が存在してもよい。この場合、複数の駐車場６のうち各車両５の本拠となる駐車場６が予め定められてもよい。また、車両５を借りた駐車場６に車両５を返却するように定められてもよいし、異なる駐車場６に返却可能であってもよい。
【００２２】
サーバ装置３０は、カーシェアリングシステムＳに関する情報を管理する。サーバ装置３０はネットワーク７に接続される。ネットワーク７は、例えばインターネットであってもよい。サーバ装置３０と各ナビゲーション装置１０とはネットワーク７を介して通信可能である。カーシェアリングシステムＳを利用する各ユーザは、例えば図示せぬ端末装置によりサーバ装置３０にアクセスして、車両５の利用を予約することができる。このとき、例えば３時間、６時間、１２時間、２４時間等、予め定められた複数の時間から、ユーザは利用時間を選択可能であってもよい。
【００２３】
図３（ａ）に示すように、サーバ装置３０は、制御部３１と、記憶部３２と、通信部３３とを備える。制御部３１〜通信部３３は、バス３４を介して接続される。
【００２４】
制御部３１は、ＣＰＵ（Central Processing Unit）、ＲＯＭ（Read Only Memory）、ＲＡＭ（Random Access Memory）等を備える。ＣＰＵが、ＲＯＭや記憶部３２に記憶された各種プログラムを読み出して実行することにより、制御部３１がサーバ装置３０を制御する。
【００２５】
記憶部３２は、例えばハードディスク等の不揮発性メモリにより構成されている。記憶部３２には、サーバ装置３０を制御するための各種プログラムが記憶されている。各種プログラムは、例えば図示しないドライブ装置を介して記録媒体から読み込まれてもよいし、ネットワーク７を介して所定のサーバ装置からダウンロードされてもよい。
【００２６】
また、記憶部３２には、駐車場６の位置を示す位置情報（経度及び緯度）が記憶されてもよい。また、記憶部３２には、各車両５の車両識別情報（例えば車台番号、登録番号等）に関連付けて、車種情報、駐車場情報等が記憶されてもよい。車種情報は、車両５の車種を示す。駐車場情報は、車両５の本拠となる駐車場６を示す。また、記憶部３２には、予約データベースが記憶されてもよい。予約データベースは、各車両５の予約状況を示す。例えば、各車両５の車両識別情報に関連付けて、利用予約されている期間の開始日時、終了日時、車両５の利用時間、車両５が貸与される予定の駐車場６を示す利用開始地情報、車両５が返却される予定の駐車場６を示す利用終了地情報、利用予約したユーザのユーザＩＤ等が記憶されてもよい。
【００２７】
通信部３３は、各車両５に搭載されたナビゲーション装置１０との通信を制御する。
【００２８】
ナビゲーション装置１０は、車両５の経路誘導を行う。ナビゲーション装置１０は、無線通信が可能であり、図示しない基地局を介してネットワーク７に接続可能である。ナビゲーション装置１０は、車車間通信により他の車両５に搭載されたナビゲーション装置１０と無線通信可能であってもよい。
【００２９】
図３（ｂ）に示すように、ナビゲーション装置１０は、制御部１１と、記憶部１２と、センサ部１３と、タッチパネル１４と、通信部１５と、ＩＤ読取部１６とを備える。制御部１１〜ＩＤ読取部１６は、バス１７を介して接続される。制御部１１は、実施形態に係る制御部１ａの一例である。記憶部１２は、実施形態に係る記憶部２の一例である。制御部１１及びタッチパネル１４との組み合わせは、実施形態に係る提示部１ｂの一例である。なお、通信部１５及びＩＤ読取部１６は必須の構成要素ではない。
【００３０】
制御部１１は、ＣＰＵ、ＲＯＭ、ＲＡＭ等を備える。ＣＰＵが、ＲＯＭや記憶部１２に記憶された各種プログラムを読み出して実行することにより、制御部１１がナビゲーション装置１０を制御する。
【００３１】
記憶部１２は、例えばハードディスク、フラッシュメモリ等の不揮発性メモリにより構成されている。記憶部１２には、ナビゲーション装置１０を制御するための各種プログラムが記憶されている。各種プログラムは、例えば図示しないドライブ装置を介して記録媒体から読み込まれてもよいし、ネットワーク７を介してサーバ装置３０等からダウンロードされてもよい。
【００３２】
また、記憶部１２には、車種情報、駐車場情報等が記憶されてもよい。車種情報は、ナビゲーション装置１０が搭載されている車両５の車種を示す。駐車場情報は、ナビゲーション装置１０が搭載されている車両５の本拠となる駐車場を示す。
【００３３】
更に、記憶部１２には、地図データベース等が記憶されている。地図データベースは、地図の表示、目的地の検索、経路の探索等のために用いられる。地図データベースは、複数の地点情報を含む。地点情報は、地図上に表示されたり車両５の移動先として設定可能であったりする場所に関するデータである。移動先として、車両５の最終的な目的地の設定が可能である。最終的な目的地に加えて、最終的な目的地に到着するまでに車両５が立ち寄る地点を更に移動先として設定可能であってもよい。地点情報は、例えば場所の位置や範囲を示す位置情報（経度及び緯度）、及び住所を示す住所情報を少なくとも含む。地点情報は、対応する場所に応じて、電話番号を更に含んでもよい。また、地点情報は、対応する場所の種類によっては、その種類を示す種類情報を更に含んでもよい。場所の種類の例として、レストラン、百貨店、コンビニエンスストア、駅、マンション、アパート、公園等が挙げられる。また、予め定められた複数の場所のそれぞれについては、その場所の名称を示す名称情報を含んでもよい。名称情報が示す名称は、ナビゲーション装置１０によりユーザに対して提示される。例えば、タッチパネル１４に、地図が表示されるとともに、地図上に場所の名称が表示されてもよい。また例えば、タッチパネル１４に表示された地図から或る場所をユーザが指定すると、その場所に関する名称等の詳細な情報がタッチパネル１４に表示されてもよい。また例えば、タッチパネル１４に目的地の検索結果が表示されるときに、検索された場所の名称が表示されてもよい。地点情報に含まれる名称情報は、ユーザが任意の場所に対して手動で登録可能な名称の情報とは異なる。予め定められた複数の場所は、ナビゲーション装置１０により上述したような態様でその名称を提示可能であることが予め定められた場所である。予め定められた複数の場所の種類は、例えば上述したようなレストラン、百貨店、コンビニエンスストア、駅、マンション、アパート、公園等であり、個人の住所地ではない。マンションやアパート自体は複数の世帯がそれぞれ住んでいるので、個人の住所地とはみなされなくてもよい。従って、マンションやアパートの地点情報は、マンション名やアパート名を示す名称情報を含んでもよい。
【００３４】
また更に、記憶部１２には、ナビゲーション装置１０による場所の特定の履歴が記憶される。この履歴は、特定された場所の位置情報、その場所が特定された日時を示す記録日時を含む。特定された場所に対応する地点情報が地図データベースに含まれている場合、履歴は、その地点情報を更に含んでもよい。また、履歴は、車両情報を更に含んでもよい。車両情報は、ナビゲーション装置１０が搭載された車両５に関する情報である。車両情報は、例えば車種情報、ユーザＩＤ、利用時間、利用開始地情報、利用終了地情報、車両識別情報等のうち少なくとも１つを含んでもよい。ユーザＩＤは、場所が特定されたときに車両５を利用していたユーザを示す。利用時間は、場所が特定されたときに車両５を利用していたユーザが、その車両５を利用する時間の長さである。利用開始地情報は、場所が特定されたときに車両５を利用していたユーザが、その車両５の利用を開始した駐車場６を示す。すなわち、利用開始地情報は、ユーザが車両５を借りた駐車場６を示す。利用終了地情報は、場所が特定されたときに車両５を利用していたユーザが、その車両５の利用を終了する駐車場６を示す。すなわち、利用終了地情報は、ユーザが車両５を返却する駐車場６を示す。
【００３５】
履歴の種類の例として、目的地設定履歴、目的地到着履歴、検索履歴、通過履歴等が挙げられる。記憶部１２には、これらの履歴のうち少なくとも１種類の履歴が記憶されればよい。目的地設定履歴は、車両５の移動先の設定の履歴である。目的地到着履歴は、車両５による移動先への到着の履歴である。検索履歴は、ユーザの操作に基づく場所の検索の履歴である。通過履歴は、車両５の移動に伴って車両５が通過した場所の履歴である。
【００３６】
センサ部１３は、車両５に備え付けられたＧＰＳ（Global Positioning System）センサ、ジャイロセンサ、速度センサから、車両５の位置を示す位置情報、移動方向の変化の情報、速度情報等の情報を取得する。
【００３７】
タッチパネル１４は、表示機能と位置入力機能を有する。表示機能の部分は、例えば、液晶表示素子又はＥＬ（Electro Luminescence）素子等により構成されるディスプレイである。位置入力機能は、例えば、静電容量方式、抵抗膜方式等を実現する素子により構成される。タッチパネル１４は、画面に対する接触及び接触位置を検出する。
【００３８】
通信部１５は、サーバ装置３０又は他の車両５に搭載されたナビゲーション装置１０との通信を制御する。
【００３９】
ＩＤ読取部１６は、ＩＤ保持体２０に記録されたユーザＩＤを読み取る。ＩＤ保持体２０は、カーシェアリングシステムＳを利用する各ユーザに貸与される。ＩＤ保持体２０は、例えばＩＣカード、磁気カード等であってもよい。例えば、ナビゲーション装置に設けられた図示せぬ所定のスロットにＩＤ保持体２０が挿入されたとき、ＩＤ読取部１６はユーザＩＤを読み取る。ＩＤ保持体２０がスロットに挿入されている状態である場合にのみ、車両５のエンジンの点火が可能であってもよい。
【００４０】
制御部１１は、ナビゲーション装置１０による場所の特定の履歴を記憶部１２に記憶させる。例えば、制御部１１は、特定された場所の位置情報、及びその場所を特定した日時を示す記録日時を少なくとも含む履歴を記憶部１２に記憶させる。制御部１１は、特定した場所の地点情報が地図データベースに存在する場合、その地点情報を履歴に含ませてもよい。また、制御部１１は、車両情報を履歴に含ませてもよい。車種情報の場合、制御部１１は、記憶部１２に記憶されている車種情報を履歴に含ませる。ユーザＩＤの場合、制御部１１は、スロットに挿入されているＩＤ保持体２０からＩＤ読取部１６により読み取られたユーザＩＤを、履歴に含ませてもよい。利用時間の場合、制御部１１は、サーバ装置３０から通信部１５を介して利用時間を受信して、この利用時間を履歴に含ませてもよい。例えば、制御部１１は、場所を特定した日時を示す記録日時及び車両５の車両識別情報をサーバ装置３０へ送信する。サーバ装置３０は、受信した車両識別情報及び記録日時に対応する利用時間を予約データベースから取得してナビゲーション装置１０へ送信する。或いは、制御部１１は、ＩＤ読み出し部１６により読み出されるユーザＩＤに基づいて、ナビゲーション装置１０のスロットに、前回挿入された第１のＩＤ保持体２０と異なる第２のＩＤ保持体２０が挿入されてから、更に別の第３のＩＤ保持体２０が挿入される直前にスロットから第２のＩＤ保持体２０が取り出されるまでの時間を、利用時間として特定してもよい。この場合、制御部１１は、記憶部１２に記憶された履歴に対して、後から利用時間を追加する。利用開始地情報の場合、制御部１１は、例えばイグニッションキーにより車両５のエンジンがユーザの手動で作動したときに、センサ部１３からの情報に基づいて推定された車両５の位置に基づいて、車両５が何れかの駐車場６に位置するかを判定する。各駐車場６の位置を示す位置情報は、記憶部１２に予め記憶されてもよいし、サーバ装置３０から取得されてもよい。車両５が何れかの駐車場６に位置する場合、制御部１１は、車両５が位置する駐車場６を示す利用開始地情報を記憶部１２に記憶させる。或いは、制御部１１は、前回挿入された第１のＩＤ保持体２０と異なる第２のＩＤ保持体２０が挿入されたとき、車両５が何れの駐車場６に位置するかを特定する。制御部１１は、特定した駐車場６を示す利用開始地情報を記憶部１２に記憶させる。制御部１１は、履歴を記憶部１２に記憶させるとき、予め記憶部１２に記憶させていた利用開始地情報を履歴に含ませる。利用終了地情報の場合、制御部１１は、例えばイグニッションキーにより車両５のエンジンがユーザの手動で停止したとき、車両５が何れかの駐車場６に位置するかを判定する。車両５が何れかの駐車場６に位置する場合、制御部１１は、車両５が位置する駐車場６を示す利用開始地情報を、これまでに記憶部１２に記憶させた履歴に追加する。或いは、制御部１１は、第２のＩＤ保持体２０が挿入されてから、更に別の第３のＩＤ保持体２０が挿入される直前にスロットから第２のＩＤ保持体２０が取り出されたときの車両５の位置に基づいて、車両５が何れの駐車場６に位置するかを特定する。制御部１１は、特定した駐車場６を示す利用終了地情報を履歴に追加する。或いは、制御部１１は、サーバ装置３０から利用開始地情報及び利用終了地情報を取得して、履歴に含ませてもよい。
【００４１】
履歴の種類に応じて、履歴が記憶されるタイミングが変わる。検索履歴の場合、タッチパネル１４に対する操作に基づいて、ユーザは検索条件を指定する。検索条件の例として、キーワード、住所、場所の種類、電話番号等が挙げられる。制御部１１は、検索条件に合致する場所の地点情報を地図データベースから検索する。このとき、制御部１１は、検索条件に合致する場所の検索履歴を記憶部１２に記憶させる。複数の場所が検索されたとき、制御部１１は、それぞれの場所について検索履歴を記憶部１２に記憶させてもよい。目的地設定履歴の場合、検索された場所の中から、タッチパネル１４に対する操作に基づいてユーザが何れかの場所を移動先として指定した場合、制御部１１は、指定された場所を移動先に設定する。このとき、制御部１１は、移動先に設定された場所の目的地設定履歴を記憶部１２に記憶させる。目的地到着履歴の場合、制御部１１は、設定された移動先までの経路を設定し、設定された経路に従って、経路案内の制御を行う。制御部１１は、センサ部１３からの情報に基づいて推定される車両５の位置に基づいて、車両５が移動先に到着したと判定した場合に、到着した移動先に関する目的地到着履歴を記憶部１２に記憶させる。通過履歴の場合、制御部１１は、センサ部１３からの情報に基づいて、車両５の移動経路を特定する。制御部１１は、例えば所定種類の場所又はその付近を車両５が通過した場合、或いは車両５が或る場所又はその付近で所定時間以上移動を停止した場合、その場所の通過履歴を記憶部１２に記憶させる。
【００４２】
履歴が複数の車両５、すなわち複数のナビゲーション装置１０で共有されてもよい。具体的に、制御部１１は、複数の車両５のうち他の車両５に搭載されたナビゲーション装置１０による場所の特定の履歴を、通信部１５を介して取得する。この場合、制御部１１は、個人の住所地が特定不可能な履歴のみを取得してもよい。制御部１１は、取得された履歴を記憶部１２に更に記憶させる。例えば、車車間通信により直接ナビゲーション装置１０間で履歴が送受信されてもよい。或いは、各ナビゲーション装置１０は、サーバ装置３０へ履歴を送信してもよい。サーバ装置３０は、受信した履歴を記憶しておくとともに、記憶した履歴を他のナビゲーション装置へ送信する。
【００４３】
全車両５で履歴が共有されてもよいが、履歴を共有する車両５の範囲が予め定められてもよい。履歴を共有する車両５の範囲は、例えば保管される駐車場６（または使用開始地となる場所）及び車両５自体の属性の少なくとも一方に基づいて定められてもよい。保管される駐車場６の場合、制御部１１は、この制御部１１を備えるナビゲーション装置１０を搭載する車両５の利用開始地である駐車場６から所定範囲内に存在する駐車場６が利用開始地である他の車両５に搭載されたナビゲーション装置１０に記憶された履歴を取得する。例えば、保管される駐車場６が同一である車両５の間でのみ履歴の共有が可能であってもよい。例えば、車両５が、駐車場６に位置しているときに、他の車両５から、他の車両５に搭載されたナビゲーション装置による場所の特定の履歴を車車間通信で受信可能である。また例えば、制御部１１は、サーバ装置３０から、本拠となる（または使用開始地となる）駐車場６が同一である他の車両５に搭載されたナビゲーション装置１０による場所の特定の履歴を取得してもよい。或いは、本拠となる駐車場６の場所から所定範囲内にある駐車場６を本拠とする他の車両５と履歴の共有が可能であってもよい。例えば、制御部１１は、サーバ装置３０から、その制御部１１を備えるナビゲーション装置１０を搭載する車両５が本拠とする駐車場６から所定範囲内にある駐車場６に保管される他の車両５が搭載するナビゲーション装置１０による場所の特定の履歴を取得してもよい。保管される駐車場６の場所によって車両５の移動範囲が異なる傾向がある。移動範囲にない場所の履歴はユーザによって利用されない可能性があるので、履歴を共有する車両５の範囲を、駐車場６で限定することは有効である。車両自体の属性の場合、制御部１１は、この制御部１１を備えるナビゲーション装置１０を搭載する車両５と車種（または型式）である他の車両５に搭載されたナビゲーション装置１０に記憶された履歴を取得してもよい。すなわち、車種が同一である車両５の間でのみ履歴の共有が可能であってもよい。或いは、制御部１１は、この制御部１１を備えるナビゲーション装置１０を搭載する車両５との間の所定箇所のサイズの差が所定値未満である他の車両５に搭載されたナビゲーション装置１０に記憶された履歴を取得してもよい。例えば車幅等の、サイズが同一又は比較的近い車両５の間でのみ履歴の共有が可能であってもよい。車両５のサイズ等の属性は、車種情報に基づいて特定可能である。制御部１１は、例えば車車間通信で、車種が同一又は車幅等が比較的近い車両５に搭載されたナビゲーション装置１０から、そのナビゲーション装置１０による場所の特定の履歴を受信してもよい。また例えば、制御部１１は、サーバ装置３０から、車種が同一又は車幅等が比較的近い車両５に搭載されたナビゲーション装置１０による場所の特定の履歴を受信してもよい。属性によって車両５の利用目的が異なる傾向がある。利用目的に合致しない場所の履歴はユーザによって利用されない可能性があるので、履歴を共有する車両５の範囲を、車両５の属性で限定することは有効である。
【００４４】
制御部１１は、記憶部１２に記憶された履歴をタッチパネル１４により提示させる。ここで、制御部１１は、所定条件が成立した後は、この所定条件が成立した時点までに記憶部１２に記憶された履歴のうち、個人の住所地を特定不可能な履歴のみをタッチパネル１４により提示させる。制御部１１は、所定条件が成立した後に記憶部１２に記憶された履歴については、次に所定条件が新たに成立するまでの間は個人の住所地を特定可能であるか否かに関係なく全て提示させてもよい。
【００４５】
この所定条件は、個人の住所地を特定可能な履歴が他人に提示されないように、記憶部１２に記憶された履歴の提示を制限するための条件である。例えば、制御部１１は、所定条件が成立したか否かを判定してもよい。例えば、所定条件は、ナビゲーション装置１０が搭載された車両５の利用状況が所定状況になることであってもよい。所定状況の例を以下に説明する。
（１）所定状況は、車両５のエンジンが手動で停止されたことであってもよい。例えばユーザがイグニッションキーをＬＯＣＫの位置に回すことにより、エンジンが停止された場合、そのユーザは、車両５の利用を終了した可能性がある。そのため、その後、車両５を利用するユーザが変わる可能性があるので、個人の住所地を特定可能な履歴の提示を制限してもよい。
（２）所定状況は、車両５を返却する駐車場６に車両５が到着したことであってもよい。制御部１１は、センサ部１３からの情報に基づいて、車両５が駐車場６に到着したか否かを判定することができる。車両５を返却する駐車場６は、車両５の利用を開始した駐車場と同一であってもよいし、異なっていてもよい。また、車両５を返却する駐車場６は予め定められていてもよいし、何れの駐車場６に返却されてもよい。車両５を返却する駐車場６に車両５が到着した場合、車両５を利用していたユーザはその車両５の利用を終了する蓋然性が高い。従って、その後に車両５を利用する別のユーザに個人を特定可能な情報が提示されないように、個人の住所地を特定可能な履歴の提示を制限してもよい。
（３）所定状況は、車両５を利用するユーザが変わったことであってもよい。例えば、制御部１１は、ＩＤ読み出し部１６により読み出されるユーザＩＤに基づいて、ナビゲーション装置１０のスロットに、前回挿入された第１のＩＤ保持体２０と異なる第２のＩＤ保持体２０が挿入された場合、車両５を利用するユーザが変わったと判定してもよい。第２のユーザに対しては、第１のユーザが利用時における個人の住所地を特定可能な履歴の提示を制限する必要がある。
（４）所定状況は、移動先に設定された場所に車両５が到着したことであってもよい。移動先として最終的な目的地に到着することにより、ユーザは、車両５の利用目的を果たした可能性がある。そのため、そこでユーザは車両５の利用を終了する可能性があるので、個人の住所地を特定可能な履歴の提示を制限してもよい。
【００４６】
上記（１）及び（２）が示す状況、並びに上記（４）において車両５が目的地に到着したことは、車両５を利用可能な複数のユーザのうち何れかのユーザがこの車両５の利用を終了した可能性がある状況でもある。上記（１）、（２）及び（４）の状況を判定することは、ナビゲーション装置１０がＩＤ読取部１６を備えず、ナビゲーション装置１０を利用するユーザを制御部１１が特定することができない場合に、特に有効である。上記（１）〜（４）が示す状況のうち予め定められた一の状況になった場合にのみ、制御部１１は、個人の住所地を特定不可能な履歴のみを提示させてもよい。或いは、制御部１１は、上記（１）〜（４）が示す状況の中で、予め定められた２以上の状況のうち何れかの状況になった場合に、制御部１１は、個人の住所地を特定不可能な履歴のみを提示させてもよい。
【００４７】
個人の住所地を特定不可能な履歴は、例えば対応する地点情報が名称情報を含む場所に関する履歴であってもよい。すなわち、制御部１１は、ナビゲーション装置１０により名称を提示可能であることが予め定められた場所の履歴のみを提示してもよい。個人の住所地に対応する地点情報は名称情報を含まない。なお、個人の住所地ではない場所の中には、対応する地点情報が名称情報を含まない場所も存在する場合がある。そのような場所に関する履歴がたとえ提示されなくなっても問題はない。
【００４８】
個人の住所地を特定不可能な履歴のみを提示させる方法としては種々の方法がある。例えば、制御部１１は、所定条件が成立したと制御部１１が判定したとき、記憶部１２から、名称情報を含まない履歴、または対応する地点情報が名称情報を含まない場所に関する履歴を全て削除してもよい。或いは、制御１１は、所定条件が成立したと判定したとき、記憶部１２に記憶された履歴のうち、対応する地点情報が名称情報を含まない場所に関する履歴に、フラグ情報を付加してもよい。制御部１１は、フラグ情報が付加されていない履歴のみを提示させてもよい。或いは、制御部１１は、所定条件が成立したと判定された日時を記憶部１２に記憶させてもよい。制御部１１は、所定条件が成立したと判定された日時までに記憶された履歴のうち、名称情報を含む履歴のみ、または対応する地点情報が名称情報を含む場所に関する履歴のみを提示させてもよい。制御部１１は、所定条件が成立したと判定された日時後に記憶された履歴は全て提示させてもよい。或いは、制御部１１は、ＩＤ読取部１６により、現在スロットに挿入されているユーザＩＤを読み取り、記憶部１２に記憶された履歴のうち、読み取られたユーザＩＤと異なるユーザＩＤを含む履歴を提示する場合は、名称情報を含む履歴のみ、または対応する地点情報が名称情報を含む場所に関する履歴のみを提示させてもよい。制御部１１は、読み取られたユーザＩＤと同一のユーザＩＤを含む履歴は全て提示させてもよい。ユーザが過去に利用した際に記憶された個人の住所地を特定可能な履歴を、そのユーザが現在利用しているときに提示しても問題はない。或いは、所定条件が成立するタイミングと、場所が特定されて履歴が記憶されるタイミングとが同一となる場合がある。例えば、所定条件が、車両５が移動先に到着したことであり、目的地到着履歴が記憶される場合である。この場合、制御部１１は、例えば到着した移動先に対応する地点情報が名称情報を含む場合にのみ、その移動先に関する目的地到着履歴を記憶部１２に記憶させてもよい。
【００４９】
履歴の提示方法としては種々の方法がある。例えば、制御部１１は、タッチパネル１４に対するユーザの操作に応じて、履歴の一覧を提示させてもよい。例えば、特定された場所の名称（名称情報を含む場合にのみ）、位置情報、住所、特定された日時等が履歴ごとにタッチパネル１４に表示されてもよい。このとき、制御部１１は、ユーザにより指定された種類の履歴のみを提示させてもよい。ユーザは、タッチパネル１４を操作することにより、提示された履歴の中から何れかの履歴を選択する。これにより、ユーザは、選択した履歴に対応する場所を、移動先として設定可能である。或いは、制御部１１は、履歴に含まれる名称情報等を読み上げる音声を、図示せぬスピーカにより出力させてもよい。
【００５０】
或いは、制御部１１は、記憶部１２に記憶された履歴に基づいて、ナビゲーション装置１０により特定された回数に応じて付けられた順位に従って、複数の場所を示すランキング情報をタッチパネル１４により提示させてもよい。例えば、場所ごとに、場所の名称（名称情報がある場合のみ）、位置情報、住所等が表示されてもよい。例えば、制御部１１は、特定された回数が多い場所ほど高いランキングを付けてもよい。ランキング情報に表示される場所の数は予め定められてもよい。ユーザは、タッチパネル１４を操作することにより、提示された場所の中から何れかの履歴を選択する。これにより、ユーザは、選択した場所を、移動先として設定可能である。
【００５１】
制御部１１は、複数の種類のうち設定された種類の場所に関する履歴のみに基づいて、ランキング情報を提示させてもよい。従って、制御部１１は、設定された一の種類の複数の場所を示すランキング情報を表示させる。例えば、タッチパネル１４を操作することにより、ランキング情報を提示させる場所の種類をユーザが指定してもよい。
【００５２】
制御部１１は、設定された利用時間に関連付けられた履歴のみに基づいて、ランキング情報を提示させてもよい。従って、制御部１１は、設定された利用時間で車両５が利用中に特定された複数の場所を示すランキング情報を表示させる。利用時間によって、ユーザが車両５を利用して行く場所の範囲又は傾向が変わる可能性があるので、提示する場所を利用時間で限定することはユーザにとって便利である。例えば、タッチパネル１４を操作することにより、ランキング情報を提示させる利用時間をユーザが設定してもよい。このとき、ランキング情報を提示させる利用時間の範囲がユーザにより設定可能であってもよい。この場合、制御部１１は、設定された範囲内の利用時間に関連付けられた履歴に基づいて、ランキング情報を提示させる。或いは、制御部１１は、現在車両５を利用しているユーザのその車両５の利用時間をサーバ装置３０から取得し、ランキング情報を提示させる利用時間を、取得した利用時間に設定してもよい。
【００５３】
制御部１１は、車両５の利用を開始した場所及び利用を終了した場所の少なくとも何れか一方又は両方が一致する履歴のみに基づいて、ランキング情報を提示させてもよい。制御部１１は、履歴に含まれる利用開始地情報及び利用終了地情報に基づいて、車両５の利用を開始した場所及び利用を終了した場所を特定可能である。
【００５４】
次に、制御部１１により実行される処理例について、図４（ａ）及び図４（ｂ）を用いて説明する。図４（ａ）に示す目的地到着履歴記憶処理は、所定条件が、車両５が目的地に到着したことであり、目的地到着履歴が記憶部１２に記憶される場合の処理例を示す。他の種類の履歴は記憶部１２に記憶されてもよいし記憶されなくてもよい。目的地到着履歴記憶処理は、制御部１１が、設定された移動先までの経路を案内する処理を開始した場合に実行される。
【００５５】
図４（ａ）に示すように、制御部１１は、センサ部１３からの情報に基づいて推定される車両５の位置と、設定された移動先に対応する地点情報に含まれる位置情報とに基づいて、車両５が移動先に到着したか否かを判定する（ステップＳ１）。このとき、制御部１１は、車両５が移動先に到着していないと判定した場合には（ステップＳ１：ＮＯ）、ステップＳ１の判定を再度実行する。一方、制御部１１は、車両５が移動先に到着したと判定した場合には（ステップＳ１：ＹＥＳ）、処理をステップＳ２に進める。
【００５６】
ステップＳ２において、制御部１１は、到着した移動先に対応する地点情報が名称情報を含むか否かを判定する。このとき、制御部１１は、地点情報が名称情報を含まないと判定した場合には（ステップＳ２：ＮＯ）、目的地到着履歴記憶処理を終了させる。一方、制御部１１は、地点情報が名称情報を含むと判定した場合には（ステップＳ２：ＹＥＳ）、処理をステップＳ３に進める。
【００５７】
ステップＳ３において、制御部１１は、目的地到着履歴を記憶部１２に記憶させる。例えば、制御部１１は、現在日時を記録日時として取得する。また、制御部１１は、利用時間を少なくとも含む車両情報を生成する。制御部１１は、到着した移動先に対応する地点情報、車両情報、及び記録日時を含む目的地到着履歴を生成する。制御部１１は、生成した目的地到着履歴を記憶部１２に記憶させて、目的地到着履歴記憶処理を終了させる。
【００５８】
図４（ｂ）に示すランキング表示処理は、目的地到着履歴のみに基づいてランキング情報を表示する場合の処理例を示す。ユーザは、タッチパネル１４を操作することにより、ランキング情報の表示を指示したときに、ランキング表示処理が実行される。このとき、ユーザは、ランキング情報を表示させる場所の種類を指定するか否かを選択する。種類を指定する場合、ユーザは、タッチパネル１４に表示された複数の種類の中から何れかの種類を指定する。また、ユーザは、このユーザの車両５の利用時間を考慮してランキング情報を表示させるか否かを指定する。
【００５９】
図４（ｂ）に示すように、制御部１１は、記憶部１２から全ての目的地到着履歴を読み出す（ステップＳ１１）。次いで、制御部１１は、場所の種類の指定があるか否かを判定する（ステップＳ１２）。このとき、制御部１１は、場所の種類の指定がないと判定した場合には（ステップＳ１２：ＮＯ）、処理をステップＳ１４へ進める。一方、制御部１１は、場所の種類の指定があると判定した場合には（ステップＳ１２：ＹＥＳ）、処理をステップＳ１３へ進める。
【００６０】
ステップＳ１３において、制御部１１は、指定された種類で目的地到着履歴をフィルタリングする。具体的に、制御部１１は、読み出された目的地到着履歴のうち、指定された種類を示す種類情報を含む目的地到着履歴のみを抽出する。制御部１１は、処理をステップＳ１４へ進める。
【００６１】
ステップＳ１４において、制御部１１は、利用時間を考慮することの指定があるか否かを判定する。このとき、制御部１１は、利用時間を考慮することの指定がないと判定した場合には（ステップＳ１４：ＮＯ）、処理をステップＳ１６へ進める。一方、制御部１１は、利用時間を考慮することの指定があると判定した場合には（ステップＳ１４：ＹＥＳ）、処理をステップＳ１５へ進める。
【００６２】
ステップＳ１５において、制御部１１は、車両５を現在利用しているユーザによるこの車両５の利用時間を取得する。そして、制御部１１は、取得した利用時間で目的地到着履歴をフィルタリングする。具体的に、制御部１１は、読み出された目的地到着履歴のうち、又はステップＳ１３でフィルタリングが実行された場合にはフィルタイリングにより抽出された目的地到着履歴のうち、取得された利用時間と同一の利用時間を含む目的地到着履歴のみを抽出する。制御部１１は、処理をステップＳ１６へ進める。
【００６３】
ステップＳ１６において、制御部１１は、ランキング情報をタッチパネル１４に表示させる。具体的に、制御部１１は、読み出された目的地到着履歴、またはステップＳ１３もしくはＳ１５でフィルタリングが実行された場合には最後のフィルタイリングにより抽出された目的地到着履歴から、車両５が移動先として到着したことがある場所を特定する。制御部１１は、車両５が到着したことがある場所のそれぞれについて、読み出された目的地到着履歴のうち、またはステップＳ１３もしくはＳ１５でフィルタリングが実行された場合には最後のフィルタイリングで抽出された目的地到着履歴のうち、その場所に関する目的地到着履歴の件数をカウントする。制御部１１は、目的地到着履歴の件数が多い場所の順に、場所の名称情報と順位とをタッチパネル１４に表示させて、ランキング情報表示処理を終了させる。
【００６４】
以上説明したように、実施例に係るナビゲーション装置１０の動作によれば、ナビゲーション装置１０による場所の特定の履歴を記憶部１２に記憶させ、記憶された履歴を提示し、所定条件が成立した後は、この所定条件が成立した時点までに記憶部１２に記憶された履歴のうち、個人の住所地を特定不可能な履歴のみを提示する。従って、個人を特定可能な情報が他人に提示されることを防止しながら、複数のユーザに渡った履歴の利用が可能となる。
【００６５】
また、所定条件が成立した後は、この所定条件が成立した時点までに記憶部１２に記憶された履歴のうち、ナビゲーション装置１０により名称を提示可能であることが予め定められた場所に関する履歴のみを提示する場合、簡易な方法で、個人の住所地を特定不可能な履歴のみを提示することができる。
【００６６】
また、所定条件は、ナビゲーション装置１０が搭載される車両５の利用状況が所定状況になることである場合、車両５の利用状況に応じて、個人を特定可能な情報が他人に提示されることを防止することができる。
【００６７】
例えば、所定状況は、車両５を利用可能な複数のユーザのうち何れかのユーザがこの車両５の利用を終了した可能性がある状況である場合、その後に別のユーザが車両５を利用するときに、個人を特定可能な情報が別のユーザに提示されることを防止することができる。
【００６８】
例えば、所定状況は、移動先に設定された場所に車両５が到着したことである場合、移動先に車両５が到着した後に、車両５を利用するユーザが別のユーザに変わったときに、個人を特定可能な情報が別のユーザに提示されることを防止することができる。
【００６９】
また例えば、所定状況は、車両５のエンジンが手動で停止されたことである場合、その後に別のユーザがエンジンを作動させて車両５を利用したときに、個人を特定可能な情報が別のユーザに提示されることを防止することができる。
【００７０】
また例えば、所定状況は、車両５を返却する駐車場６に車両５が到着したことである場合、その後、その駐車場６で別のユーザが車両５の利用を開始したときに、個人を特定可能な情報が別のユーザに提示されることを防止することができる。
【００７１】
また、所定状況は、車両５を利用するユーザが変わったことである場合、個人を特定可能な情報が別のユーザに提示されることを防止することができる。
【００７２】
また、記憶部１２に記憶された履歴に基づいて、ナビゲーション装置１０により特定された回数に応じて付けられた順位に従って、複数の場所を示すランキング情報を提示した場合、個人を特定可能な情報が他人に提示されることを防止しながら、車両５が利用される際に特定される場所の傾向を複数のユーザが知ることができる。
【００７３】
例えば、複数の種類のうち設定された種類の複数の場所を示すランキング情報を表示させる場合、設定された種類で、車両５の移動先となる場所の傾向をユーザが知ることができる。
【００７４】
また例えば、設定された利用時間で車両５が利用中に特定された複数の場所を示すランキング情報を提示する場合、車両５の移動先となる場所の範囲又は傾向が利用時間に応じて変わることに応じて、その範囲又は傾向をユーザが知ることができる。
【実施例２】
【００７５】
本実施例に係るカーシェアリングシステムＳ、ナビゲーション装置１０、及びサーバ装置３０のそれぞれの構成は実施例１と同様であってもよい。本実施例においては、各ナビゲーション装置１０により特定された場所の履歴がサーバ装置３０に記憶される。各ナビゲーション装置１０は、そのナビゲーション装置１０を搭載する車両５の車両識別情報を含む履歴をサーバ装置３０へ送信する。各ナビゲーション装置１０自体は、履歴を記憶部１２に記憶させなくてもよい。
【００７６】
サーバ装置３０の制御部３１は、ナビゲーション装置１０から受信した履歴を記憶部３２に記憶させる。
【００７７】
制御部３１は、記憶部３２に記憶された履歴をナビゲーション装置１０へ送信する。例えば、タッチパネル１４に対する操作により、ユーザが履歴の提示を指示したとき、ナビゲーション装置１０は、履歴要求をサーバ装置３０へ送信する。履歴要求は、この履歴要求を送信するナビゲーション装置１０が搭載された車両５の車両識別情報を含んでもよい。制御部３１は、履歴要求に応じて履歴をナビゲーション装置１０へ送信する。このとき、制御部３１は、履歴要求に含まれる車両識別情報に一致する車両識別情報を含む履歴を記憶部３２から取得して、ナビゲーション装置１０へ送信してもよい。ナビゲーション装置１０は、サーバ装置３０から受信した履歴を提示する。例えば、ナビゲーション装置１０は、履歴の一覧を表示してもよいし、ランキング情報を表示してもよい。制御部３１は、記憶部３２から取得した履歴に基づいて、ランキング情報を生成してナビゲーション装置１０へ送信してもよい。ナビゲーション装置１０は、受信したランキング情報を提示する。複数の車両５で履歴を共有する場合、制御部３１は、履歴要求に含まれる車両識別情報と異なる車両識別情報を含む履歴のうち、個人の住所地を特定不可能な履歴を更に送信してもよい。履歴に含まれる車両識別情報に対応する駐車場情報に基づいて、履歴を共有する車両５の範囲を駐車場６で限定することが可能である。また、履歴に含まれる車種情報に基づいて、履歴を共有する車両５の範囲を車両５の属性で限定することが可能である。
【００７８】
制御部３１は、所定条件が成立した後は、この所定条件が成立した時点までにナビゲーション装置１０により特定された場所に関する履歴であって、記憶部３２に記憶された履歴のうち、個人の住所地を特定不可能な履歴のみをナビゲーション装置１０に送信する。例えば、ナビゲーション装置１０は、所定条件が成立したか否かを判定し、所定条件が成立した場合には、所定条件が成立した日時を記憶部１２に記憶させておいてもよい。ナビゲーション装置１０は、最後に所定条件が成立した日時を含む履歴要求をサーバ装置３０へ送信してもよい。制御部３１は、記憶部３２に記憶された履歴の中から、最後に所定条件が成立した日時より以前の記録日時を含む履歴のうち、対応する地点情報が名称情報を含む履歴のみをナビゲーション装置１０へ送信する。第１実施例で説明された、個人の住所地を特定不可能な履歴のみを提示させるための具体的な方法は、個人の住所地を特定不可能な履歴のみをナビゲーション装置１０へ送信する場合にも適用可能である。また、制御部３１は、記憶部３２に記憶された履歴の中から、最後に所定条件が成立した日時より後である記録日時を含む履歴を、個人の住所地を特定可能であるか否かに係わらず全てナビゲーション装置１０へ更に送信してもよい。
【００７９】
以上説明したように、実施例に係るサーバ装置３０の動作によれば、ナビゲーション装置１０による場所の特定の履歴をナビゲーション装置１０から受信し、受信された履歴を記憶部３２に記憶させ、記憶された履歴をナビゲーション装置へ送信し、所定条件が成立した後は、この所定条件が成立した時点までにナビゲーション装置１０により特定された場所に関する履歴のうち、個人の住所地を特定不可能な履歴のみをナビゲーション装置１０に送信する。従って、個人を特定可能な情報が他人に提示されることを防止しながら、複数のユーザに渡った履歴の利用が可能となる。
[変形例]
【００８０】
ナビゲーション装置１０は、タッチパネル１４に対するユーザによる履歴の削除の操作に応じて、記憶部１２に記憶された履歴の削除が可能に構成されてもよい。この場合において、所定条件は、ユーザの操作により記憶部１２から履歴が削除されたことであってもよい。削除された履歴が、個人の住所地を特定可能な履歴であってもなくても、所定条件が成立してもよい。
【符号の説明】
【００８１】
１  ナビゲーション装置
１ａ  制御部
１ｂ  提示部
２  記憶部
１０  ナビゲーション装置
１１  制御部
１２  記憶部
１３  センサ部
１４  タッチパネル
１５  通信部
１６  ＩＤ読取部
３０  サーバ装置
３１  制御部
３２  記憶部
３３  通信部
【図１】
2018163122.tif 000003
【図２】
2018163122.tif 000004
【図３】
2018163122.tif 000005
【図４】
2018163122.tif 000006